(57)【要約】【課題】空調機の設定作業中におけるバッテリ切れを防止する空調機用無線リモコンを提供する。【解決手段】空調機用無線リモコンは、充電池と、充電池の充電残量を検出する電源制御部と、充電残量が、空調機の設定作業に必要な所定の閾値に達しているかどうかを判定し、閾値に達していないと判定すると、充電池からの給電による空調機の設定作業が実行できなくなるよう制御する制御部と、を備える。【選択図】図１
2020099120.tif 000002
【特許請求の範囲】
【請求項１】
空調機用無線リモコンであって、
充電池と、
前記充電池の充電残量を検出する電源制御部と、
前記充電残量が、空調機の設定作業に必要な所定の閾値に達しているかどうかを判定し、前記閾値に達していないと判定すると、前記充電池からの給電による前記空調機の設定作業が実行できなくなるよう制御する制御部と、
を備える空調機用無線リモコン。
【請求項２】
前記設定作業の実行を選択する選択肢を表示する表示部、
をさらに備え、
前記制御部は、前記充電残量が前記閾値に達していないと判定すると、前記選択肢の選択を無効にする制御を行う、
請求項１に記載の空調機用無線リモコン。
【請求項３】
電源に接続された状態で起動され、前記充電残量が前記閾値に達していない場合、
前記電源制御部は、前記電源から前記充電池へ充電を行い、
前記制御部は、前記選択肢の表示に代えて、または、前記選択肢が選択されたときに、前記充電池が充電中であることを示す表示を行う、
請求項２に記載の空調機用無線リモコン。
【請求項４】
前記充電池が完全放電した状態にあるとみなせる場合、
前記電源制御部は、急速充電モードで前記充電池への充電を行う、
請求項３に記載の空調機用無線リモコン。
【請求項５】
前記設定作業中に前記充電残量が第２の閾値を下回ると、
前記制御部は、前記充電池への充電を促す通知を行う、
請求項３または請求項４の何れか１項に記載の空調機用無線リモコン。
【請求項６】
前記充電池の充電中に前記充電残量が前記閾値に達していない場合、
前記制御部は、前記充電の継続を促す表示を行う、
請求項３から請求項５の何れか１項に記載の空調機用無線リモコン。
【請求項７】
前記制御部は、前記充電池の充電中に充電の進捗状況を表示する、
請求項３から請求項６の何れか１項に記載の空調機用無線リモコン。
【請求項８】
空調機用無線リモコンの充電池の充電残量を検出するステップと、
前記充電残量が、空調機の設定作業に必要な所定の閾値に達しているかどうかを判定し、前記閾値に達していないと判定すると、前記充電池からの給電による前記空調機の設定作業が実行できなくなるよう制御するステップと、
を有する空調機用無線リモコンの制御方法。
【請求項９】
充電池によって駆動する空調機用無線リモコンのコンピュータを、
前記充電池の充電残量を検出する手段、
前記充電残量が、空調機の設定作業に必要な所定の閾値に達しているかどうかを判定し、前記閾値に達していないと判定すると、前記充電池からの給電による前記空調機の設定作業が実行できなくなるよう制御する手段、
として機能させるためのプログラム。
【発明の詳細な説明】
【技術分野】
【０００１】
本発明は、空調機用無線リモコン、空調機用無線リモコンの制御方法及びプログラムに関する。
【背景技術】
【０００２】
一般的に一台または複数台の業務用空調機の室内機に対する操作／設定を行う場合、室内機とリモコンとを有線接続し、室内機へ操作／設定を行うことが多い。これに対し、施工性の改善や省配線化のため電波式の無線リモコンで操作／設定作業を行うことが望まれている。リモコンと室内機が有線接続されている場合と異なり、無線リモコンの場合、通信可能な距離にある全ての室内機が、無線リモコンが発信した制御信号に応答できるため、まず、その無線リモコンが管理対象とする室内機を選別し、グループを形成する作業を行う必要がある。管理対象の室内機をグループ化し、グループに属する室内機と無線リモコンとを紐づける設定作業をペアリングと呼ぶ。ペアリングを行うと、無線リモコンからの制御信号に対して管理対象の室内機だけがその制御信号に応答し、管理対象に設定されていない通信範囲にある他の室内機は応答しない。ペアリング設定作業では、管理対象の室内機を選別する作業や、同一無線通信可能エリアに複数の室内機グループを設置したときのグループ間での混信および通信速度の低下を回避するために、グループごとに異なる通信チャンネルを割り当てたり、グループＩＤを設定したりする等の無線モジュールの設定変更を行う。管理対象とする室内機の台数が増えると、ペアリング設定作業に必要な時間が増大する。
【０００３】
ところで、無線リモコンは、ユーザの操作性、携帯性を考慮し、バッテリによる駆動が可能とされることが多い。特許文献１には、リモコンから信号とともにバッテリ電圧の情報を送信して、信号を受信した集中コントローラが、バッテリ電圧に基づいてバッテリ切れまでの残り時間を推定するようにしたシステムが開示されている。
【先行技術文献】
【特許文献】
【０００４】
【特許文献１】特許第４３７２８００号公報
【発明の概要】
【発明が解決しようとする課題】
【０００５】
無線リモコンのバッテリ残量不足により、例えば、上記の無線モジュールの設定作業に中断が発生した場合、ペアリング設定の初期化作業（例えば、室内機の制御基板上のスイッチ操作など）やペアリング設定自体のやり直しが必要となり、ユーザに多大な労力を強いることになる。そのため、無線リモコンが、バッテリで駆動している場合でも、確実にペアリング作業を完了できるよう制御する必要がある。
【０００６】
そこでこの発明は、上述の課題を解決することのできる空調機用無線リモコン、空調機用無線リモコンの制御方法及びプログラムを提供することを目的としている。
【課題を解決するための手段】
【０００７】
本発明の一態様によれば、空調機用無線リモコンは、充電池と、前記充電池の充電残量を検出する電源制御部と、前記充電残量が、空調機の設定作業に必要な所定の閾値に達しているかどうかを判定し、前記閾値に達していないと判定すると、前記充電池からの給電による前記空調機の設定作業が実行できなくなるよう制御する制御部と、を備える。
【０００８】
本発明の一態様によれば、前記空調機用無線リモコンは、前記設定作業の実行を選択する選択肢を表示する表示部をさらに備え、前記制御部は、前記充電残量が前記閾値に達していないと判定すると前記選択肢の選択を無効にする制御を行う。
【０００９】
本発明の一態様によれば、前記空調機用無線リモコンが電源に接続された状態で起動され、前記充電残量が前記閾値に達していない場合、前記電源制御部は、前記電源から前記充電池へ充電を行い、前記制御部は、前記選択肢の表示に代えて、または、前記選択肢が選択されたときに、前記充電池が充電中であることを示す表示を行う。
【００１０】
本発明の一態様によれば、前記充電池が完全放電した状態にあるとみなせる場合、前記電力制御部は、急速充電モードで前記充電池への充電を行う。
【００１１】
本発明の一態様によれば、前記設定作業中に前記充電残量が第２の閾値を下回ると、前記制御部は、前記充電池への充電を促す通知を行う。
【００１２】
本発明の一態様によれば、前記充電池の充電中に前記充電残量が前記閾値に達していない場合、前記制御部は、前記充電の継続を促す表示を行う。
【００１３】
本発明の一態様によれば、前記制御部は、前記充電池の充電中に、充電の進捗状況を表示する。
【００１４】
本発明の一態様によれば、空調機用無線リモコンの制御方法は、空調機用無線リモコンの充電池の充電残量を検出するステップと、前記充電残量が、空調機の設定作業に必要な所定の閾値に達しているかどうかを判定し、前記閾値に達していないと判定すると、前記充電池からの給電による前記空調機の設定作業が実行できなくなるよう制御するステップと、を有する。
【００１５】
本発明の一態様によれば、プログラムは、充電池によって駆動する空調機用無線リモコンのコンピュータを、前記充電池の充電残量を検出する手段、前記充電残量が、空調機の設定作業に必要な所定の閾値に達しているかどうかを判定し、前記閾値に達していないと判定すると、前記充電池からの給電による前記空調機の設定作業が実行できなくなるよう制御する手段、として機能させる。
【発明の効果】
【００１６】
本発明によれば、バッテリ駆動の無線リモコンによる空調機の設定作業を確実に完了させることができる。
【図面の簡単な説明】
【００１７】
【図１】本発明の各実施形態における空調システムの一例を示す図である。
【図２】本発明の第一実施形態における無線リモコンの起動制御に係るフローチャートである。
【図３】本発明の第一実施形態における無線リモコンに表示される画面の一例を示す図である。
【図４】本発明の第二実施形態における無線リモコンに表示される画面の一例を示す図である。
【図５】本発明の第三実施形態におけるペアリング設定処理のフローチャートである。
【図６】本発明の第三実施形態における無線リモコンに表示される画面の一例を示す図である。
【図７】本発明の第四実施形態における無線リモコンの起動制御に係るフローチャートである。
【図８】本発明の各実施形態における無線リモコンのハードウェア構成の一例を示す図である。
【発明を実施するための形態】
【００１８】
（システムの構成）
以下、本発明の各実施形態による無線リモコンについて図面を参照して説明する。
図１は、本発明の各実施形態における空調システムの一例を示す図である。
図示するように空調システムは、ｎ個の空調系統２１〜２ｎと、空調機用の無線リモコン１０、１０Ａとを備えている。空調系統２１は、１台または複数台の室外機２１１と１台または複数台の室内機２１２と無線通信アダプタ２１３を備えている。空調系統２２〜２ｎについても同様である。例えば、無線リモコン１０は親リモコン、無線リモコン１０Ａは子リモコンである。ユーザのペアリング設定作業により、無線リモコン１０、１０Ａは、ｎ台の室内機２１２〜２ｎ２のうちの管理対象とする室内機と対応付けられる。ペアリングにより、無線リモコン１０、１０Ａおよび空調系統２１〜２ｎのうちの一部（管理対象の室内機を備える空調系統）は１つのグループを形成する。室内機２１２、２２２が管理対象の場合、無線リモコン１０、１０Ａと室内機２１２、２２２とは、無線通信アダプタ２１３、２２３を通じて通信可能である。図１には無線リモコン１０、１０Ａが記載されているが、無線リモコン１０の数は２台に限定されず、１台でも３台以上でもよい。また、同一のグループに属する空調系統２１等の数も所定の設定値を上限とする任意の台数であってよい。
【００１９】
無線リモコン１０は、入力部１１と、電源制御部１２と、充電池１３と、無線通信部１４と、表示部１５と、制御部１６と、設定記憶部１７と、を備えている。
入力部１１は、例えば、ユーザが空調機２１等の操作に用いる入力ボタンである。
電源制御部１２は、外部の電源又は充電池１３から供給される電力を所定の電圧に変換する等して無線リモコン１０が備える各種の制御回路へ電力を供給する。また、電源制御部１２は、電源に接続されたときに充電池１３を充電する。また、電源制御部１２は、充電池１３の充電残量を検出する。例えば、電源制御部１２は、充電池１３の電圧等に基づいて充電残量を検出する。
無線通信部１４は、無線通信アダプタ２１３等を通じて、室内機２１２等の制御装置（マイコン）と通信を行う。あるいは、無線通信部１４は、他の無線リモコン１０Ａ等と通信を行う。なお、ペアリング設定により、無線通信部１４が用いる通信チャネルが設定され、管理対象となる室内機との通信にも適用される。
表示部１５は、液晶ディスプレイ等の表示画面である。
制御部１６は、無線リモコン１０の動作を制御する。例えば、制御部１６は、入力部１１を介して入力された指示情報を受け付けて、無線リモコン１０の起動・停止やペアリング設定に必要な動作（例えば、通信チャネルの割り当てやグループＩＤの割り当て等）を制御する。制御部１６は、表示部１５へ種々の情報を表示する。
設定記憶部１７は、不揮発性メモリで構成されている。設定記憶部１７は、ペアリング設定作業後の管理対象の室内機２１２等の設定情報を記憶する。
図示は省略するが、無線リモコン１０Ａも同様の構成を備えている。
無線リモコン１０は、ペアリング設定作業を確実に完了することができるよう、ペアリング設定作業中のバッテリ切れを防止する機能を提供する。以下、無線リモコン１０を用いてペアリング設定作業を行う場合を例に各実施形態の説明を行う。
【００２０】
＜第一実施形態＞
図２は、本発明の第一実施形態における無線リモコンの電源起動処理の一例を示すフローチャートである。図３は、本発明の第一実施形態における無線リモコンに表示される画面の一例を示す図である。
電源ＯＦＦ/停止状態にある無線リモコン１０が卓上クレードル接続や配線接続などにより電源に接続されると、制御部１６が、電源接続を自動的に検出して、無線リモコン１０を起動する。まず、制御部１６は、電源制御部１２に充電池１３の充電残量を問い合わせる。電源制御部１２は、充電池１３の充電残量を検出し、制御部１６へ出力する。また、制御部１６は、設定記憶部１７を参照して室内機２１２〜２ｎ２の何れかについて設定されたペアリングの設定情報を読み出す。（ステップＳ１０）。
【００２１】
次に制御部１６は、ペアリングの設定情報が設定記憶部１７に登録されているかどうかを判定する（ステップＳ１１）。設定情報が登録されている場合、ペアリングが完了していると考えられる。従って、ペアリング設定作業の実行を想定した充電池１３の充電残量を気にする必要が無い。制御部１６は、通常のリモコン画面を表示部１５へ表示する（ステップＳ１６）。
【００２２】
ステップＳ１１にて設定情報が登録されていない初期状態と判定された場合、制御部１６は、充電池１３の充電残量が所定の設定値以上か否かを判定する（ステップＳ１２）。この設定値は、充電池１３の充電残量が、所定台数の室内機２１２等との間でペアリング設定作業を行うのに十分な残量かどうかを判定するための値である。充電残量が所定の設定値以上の場合、ペアリング設定作業を開始してもバッテリ切れとなる可能性は低い。制御部１６は、初期設定画面を表示する（ステップＳ１５）。初期設定画面を図３（ｂ）に示す。図３（ｂ）に例示する初期設定画面では、「無線通信ペアリング設定」が可能である。ユーザは、無線リモコン１０を、電源から切り離してのペアリング設定作業も行うことができる。電源接続したままでのペアリング設定作業も行うことができる。
【００２３】
充電残量が所定の設定値未満の場合、現在の充電残量でペアリング設定作業を行うと、設定の途中でバッテリ切れとなり、ペアリングをやり直さなければならなくなる可能性がある。その為、制御部１６は、充電待機画面を表示する（ステップＳ１３）。つまり、ペアリング設定作業を選択する画面を表示しないことによって、ユーザがペアリングを行うことができないようにする。充電待機画面を図３（ａ）に示す。初期設定画面の代わりに充電待機画面を表示することで、ユーザは、ペアリング設定作業を行うことができない。また、電源制御部１２は、充電池１３への充電を行う（ステップＳ１４）。
【００２４】
上記の説明したように、本実施形態では、無線リモコン１０が電源接続されて起動されたときに、設定記憶部１７にペアリング設定が登録されていない初期状態の場合は、室内機２１２等のペアリング設定作業に必要な時間（例えば、５分間）無線リモコン１０を駆動できる充電残量まで充電池１３が充電されるまで、ペアリング設定が選択可能な初期設定画面を表示しない。これにより、充電池１３からの給電によって無線リモコン１０が駆動している状態で、室内機２１２等のペアリング設定作業中にバッテリ切れとなることを未然に防ぎ、ペアリング設定作業のやり直し、更には設定初期化作業の発生リスクを低減し、ユーザの負担を低減することができる。
【００２５】
なお、ペアリング設定作業は、主に室内機の据え付け時に行うが、室内機の追加時や新しい室内機に更新する場合にも行う。上記の処理は、これらの場面に適用することも可能である。
また、ステップＳ１２の所定の設定値は、充電池１３の劣化状態によって変更するようにしてもよい。例えば、充電池１３の劣化が進んでいる場合、見かけの電圧よりも実充電残量が少ない場合があるため、設定値を引き上げる対応を行う。例えば、充電池１３における充放電サイクル数、稼働時間などから推定される劣化度から適切な設定値（劣化度が高くになるほど、設定値を引き上げる）を選択することにより、充電池１３の劣化に対応するようにしてもよい。
【００２６】
また、図２のフローチャートでは、無線リモコン１０が電源に接続されたことをきっかけとしたが、電源に接続されていない状態でユーザの電源ＯＮ操作（入力部１１）がされた場合に、ステップＳ１３の表示する充電待機画面の代わりに、電源への接続を促す画面を表示するようにしてもよい。
【００２７】
＜第二実施形態＞
以下、本発明の第二実施形態による無線リモコン１０の制御について図４を参照して説明する。
図４は、本発明の第二実施形態における無線リモコンに表示される画面の一例を示す図である。
図４に例示するのは、図３（ａ）に示す充電待機画面の他の例である。第二実施形態において、制御部１６は、図２のフローチャートのステップＳ１２で、充電池１３の残量が、所定の設定値未満と判定された場合、図３（ｂ）で例示する初期設定画面を表示する。ユーザは、「時刻設定」、「コントラスト」、「バックライト」、「ブザー音」などを選択してこれらの設定を行うことができる。しかし、ユーザが「無線通信ペアリング設定」を選択すると、制御部１６は、図４に例示する充電待機カウントダウン画面を、表示部１５へ表示する。この画面では、無線通信ペアリング設定が可能になるまでに必要な時間（例えば、充電残量が所定の設定値に達するまでの時間、または、満充電になるまでの時間）が表示される。
【００２８】
第二実施形態によれば、この表示により、ユーザは、あとどれぐらいで充電が完了するかを把握することができる。また、バッテリ切れによる作業中断のリスクが伴う無線通信ペアリング設定以外の設定操作を許可することで、ユーザの利便性が向上する。
なお、第一実施形態のステップＳ１３で説明した図３（ａ）の充電待機画面でも、同様に充電完了までの時間を表示するようにしてもよい。
【００２９】
＜第三実施形態＞
以下、本発明の第三実施形態による無線リモコン１０の制御について図５〜図６を参照して説明する。第一実施形態、第二実施形態では、無線リモコン１０の起動時における充電残量の判定、その判定結果に基づくペアリング設定の可否制御について説明した。第三実施形態では、ペアリング設定作業の開始後に充電池１３の充電残量を監視しつつ、充電残量が十分でない場合には警告を発する処理について説明する。
【００３０】
図５は、本発明の第三実施形態におけるペアリング設定処理のフローチャートである。図６は、本発明の第三実施形態における無線リモコンに表示される画面の一例を示す図である。
図２に例示する処理によって図３（ｂ）で例示した初期設定画面で「無線通信ペアリング設定」が選択可能となり、ユーザが、無線リモコン１０を操作しながら、ペアリング設定作業ルーチンを行う（ステップＳ２０）。具体的には、例えば、管理対象とする室内機２１２等の選択、当該無線リモコン１０が管理対象となる複数の室内機２１２等との制御通信に適用する通信チャネルの設定、グループＩＤの設定などを行う。ユーザは、ペアリング設定作業の完了を所定のボタンを押下する等にて入力部１１を介して無線リモコン１０へ入力する。無線リモコン１０はこの入力によりペアリング設定の完了を判断する（ステップＳ２１）。
【００３１】
ステップＳ２１の判定にてペアリング設定作業が完了していない場合、制御部１６は、例えば、電源制御部１２を用いて、所定の周期で充電池１３の充電残量を検出し、所定の設定値１と比較する（ステップＳ２２）。充電残量が設定値１以上の場合、ユーザおよび無線リモコン１０は、ステップＳ２０からの作業、処理を繰り返す。
【００３２】
ステップＳ２２の判定にて充電残量が設定値１未満の場合、制御部１６は、表示部１５に電源接続アラームを表示する（ステップＳ２３）。電源接続アラームの一例を図６（ａ）に示す。ペアリング設定画面に「電源に接続してください」といったメッセージを表示することで、ユーザに、充電池１３の充電残量の低下を認識させ、無線リモコン１０を電源に接続するよう誘導する。これにより、充電池１３の充電残量切れによるペアリング設定作業の中断およびやり直しを未然に防止することができる。
【００３３】
制御部１６が、電源接続アラームを表示した後も、ユーザは、ペアリング設定作業ルーチンを継続することができる（ステップＳ２４）。電源制御部１２は、無線リモコン１０の電源接続の有無を判定し（ステップＳ２５）、その結果を制御部１６へ出力する。無線リモコン１０が電源へ接続されていない場合、制御部１６は、電源接続アラームの表示を継続する。無線リモコン１０が電源へ接続された場合、制御部１６は、「電源に接続してください」といったメッセージ表示を止め、表示部１５に電源取り外し禁止アラームを表示する（ステップＳ２６）。電源取り外し禁止アラームの一例を図６（ｂ）に示す。ペアリング設定画面に「電源取外し禁止」といったメッセージを表示することで、ユーザは、充電池１３が充電中であることを認識することができる。
【００３４】
制御部１６が、電源取り外し禁止アラームを表示した後も、ユーザは、ペアリング設定作業ルーチンを継続することができる（ステップＳ２７）。電源制御部１２は、充電池１３の充電残量を判定し（ステップＳ２８）、その結果を制御部１６へ出力する。充電残量が所定の設定値２以下の場合、制御部１６は、電源取り外し禁止アラームの表示を継続する。充電残量が所定の設定値２を上回った場合、制御部１６は、表示部１５の電源取り外し禁止アラームを消灯する（ステップＳ２９）。つまり、制御部１６は、電源取り外し禁止アラームの表示を終了する。これにより、ユーザは、充電池１３が十分に充電されたことを認識し、再びバッテリ駆動の状態でペアリング設定作業を行うことができる。
【００３５】
本実施形態によれば、第一及び第二実施形態の判定によりバッテリ駆動でのペアリング作業が可能と判定され、実際にペアリング設定作業を開始したときでも、何らかの事情で設定に時間が掛かり、ペアリング設定作業中にバッテリ切れとなりそうな場合には、ユーザに電源接続を促す表示を行う。また、電源接続後も、充電残量が十分ではない間は、電源取外し禁止の警告を表示する。これにより、バッテリ切れによる無線通信ペアリング設定作業中断や設定初期化作業を回避することができる。また、バッテリ切れリスクを早期に検出し電源接続を促すことで速やかに充電残量を安全なレベルに回復させつつ、ペアリング設定作業を速やかに完了することができる。
【００３６】
なお、図５のフローチャートにて、設定値１と設定値２の関係は、設定値１＜設定値２であることが望ましい。また、所定の設定値２は、例えば、第一実施形態のステップＳ１２における所定の設定値と同じ値であってよい。
また、図６（ｂ）の例では、「電源取外し禁止」の文字を表示することとしたが、制御部１６は、図４で例示したように充電に要する残り時間や、充電残量が設定値２の状況を１００％としたときの進捗率などを表示してもよい。
【００３７】
＜第四実施形態＞
以下、本発明の第四実施形態による無線リモコン１０の制御について図７を参照して説明する。第四実施形態では、無線リモコン１０の起動時にペアリング設定の有無を判定し、ペアリング設定作業が未実施で、且つ、充電池１３が完全放電状態である場合、充電池１３の劣化が少ないと考え、急速充電モードにより充電を行い、短時間で必要な充電残量となるまで充電を行う。
【００３８】
図７は、本発明の第四実施形態における無線リモコンの起動制御に係るフローチャートである。
電源ＯＦＦ/停止状態にある無線リモコン１０が卓上クレードル接続や配線接続などにより電源に接続されると、制御部１６が、電源接続を自動的に検出して無線リモコン１０を起動する。まず、制御部１６は、電源制御部１２を介して、充電池１３の残量を検出する。また、制御部１６は、設定記憶部１７を参照してペアリングの設定情報を読み出す。（ステップＳ３０）。
制御部１６は、ペアリングの設定情報が設定記憶部１７に登録されているかどうかを判定する（ステップＳ３１）。設定情報が登録されている場合、制御部１６は、通常のリモコン画面を表示部１５へ表示する（ステップＳ４０）。
【００３９】
ステップＳ３１にて、設定情報が登録されていないと判定された場合、制御部１６は、充電池１３の充電残量が所定の設定値α以上か否かを判定する（ステップＳ３２）。設定値αは、充電池１３の充電残量が、所定台数の室内機２１２等との間でペアリング設定作業を行うのに十分な残量かどうかを判定するための値である。充電残量が所定の設定値α以上の場合、制御部１６は、図３（ｂ）に例示する初期設定画面を表示する（ステップＳ３９）。
【００４０】
ステップＳ３２にて、充電残量が所定の設定値α未満と判定された場合、制御部１６は、図３（ａ）に例示する充電待機画面を表示する（ステップＳ３３）。
次に制御部１６は、充電池１３の充電残量が完全放電とみなせるかどうかを判定する（ステップＳ３４）。例えば、制御部１６は、完全放電とみなせるか否かを判定するための所定の閾値と充電池１３の充電残量を比較して、充電残量が閾値未満であれば、充電池１３は完全放電であると判定する。完全放電と判定すると、制御部１６は、電源制御部１２へ急速充電モードによる充電を指示する。電源制御部１２は、急速充電モードによる充電を開始する（ステップＳ３５）。急速充電モードによる充電中、電源制御部１２は、充電池１３の充電残量を検出し、その結果を制御部１６へ出力する。制御部１６は、充電残量の判定を行う（ステップＳ３６）。充電残量が所定の設定値β未満の場合、電源制御部１２は、急速充電モードによる充電を継続する。充電残量が所定の設定値β以上の場合、後述するステップＳ３７の処理を行う。
【００４１】
ステップＳ３４にて、充電池１３の充電残量が完全放電ではないと判定された場合、または、ステップＳ３６で充電残量が所定の設定値β以上と判定された場合、制御部１６は、電源制御部１２へ通常充電モードによる充電を指示する。電源制御部１２は、通常充電モードによる充電を開始する（ステップＳ３７）。通常充電モードによる充電中、電源制御部１２は、充電池１３の充電残量を検出し、その結果を制御部１６へ出力する。制御部１６は、充電残量の判定を行う（ステップＳ３８）。充電残量が所定の設定値γ未満の場合、電源制御部１２は、通常充電モードによる充電を継続する。充電残量が所定の設定値γ以上となった場合、制御部１６は、図３（ｂ）に例示する初期設定画面を表示する（ステップＳ３９）。
【００４２】
なお、所定の設定値α、β、γは同じ値であってもよい。あるいは、急速充電モードによる充電の実施により充電池１３の発熱や劣化などが生じる可能性があるため、設定値α、γを同じ値とし、設定値βは適宜最適化することが望ましい。
また、第二実施形態と組み合わせて、ステップＳ３３にて初期設定画面を表示し、初期設定画面で「無線通信ペアリング設定」を選択すると、充電待機カウントダウン画面（図４）を表示するようにしてもよい。
【００４３】
本実施形態によれば、第一実施形態、第二実施形態の効果に加え、急速充電モードで充電することによる充電池１３の寿命低下リスクを回避しつつ、短時間にペアリング設定作業が開始できるようになる。
【００４４】
図８は、本発明の各実施形態における無線リモコンのハードウェア構成の一例を示す図である。
コンピュータ９００は、ＣＰＵ９０１、主記憶装置９０２、補助記憶装置９０３、入出力インタフェース９０４、通信インタフェース９０５を備える。
上述の無線リモコン１０の各々は、コンピュータ９００を備える。そして、上述した各機能は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、記憶領域を主記憶装置９０２に確保する。また、ＣＰＵ９０１は、プログラムに従って、処理中のデータを記憶する記憶領域を補助記憶装置９０３に確保する。例えば、設定記憶部１７は、補助記憶装置９０３に形成された記憶領域である。無線通信部１４は、通信インタフェース９０５を通じて室内機２１２等との通信を行う。
【００４５】
無線リモコン１０の全部または一部の機能を実現するためのプログラムをコンピュータ読み取り可能な記録媒体に記録して、この記録媒体に記録されたプログラムをコンピュータシステムに読み込ませ、実行することにより各機能部による処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また、このプログラムが通信回線によってコンピュータ９００に配信される場合、配信を受けたコンピュータ９００が当該プログラムを主記憶装置９０２に展開し、上記処理を実行しても良い。また、上記プログラムは、前述した機能の一部を実現するためのものであっても良く、さらに前述した機能をコンピュータシステムにすでに記録されているプログラムとの組み合わせで実現できるものであってもよい。
【００４６】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【符号の説明】
【００４７】
１０、１０Ａ・・・無線リモコン
１１・・・入力部
１２・・・電源制御部
１３・・・充電池
１４・・・無線通信部
１５・・・表示部
１６・・・制御部
１７・・・設定記憶部
２１〜２ｎ・・・空調機
２１１〜２ｎ１・・・室外機
２１２〜２ｎ２・・・室内機
２１３〜２ｎ３・・・無線通信アダプタ
９００・・・コンピュータ
９０１・・・ＣＰＵ
９０２・・・主記憶装置
９０３・・・補助記憶装置
９０４・・・入出力インタフェース
９０５・・・通信インタフェース
【図１】
2020099120.tif 000003
【図２】
2020099120.tif 000004
【図３】
2020099120.tif 000005
【図４】
2020099120.tif 000006
【図５】
2020099120.tif 000007
【図６】
2020099120.tif 000008
【図７】
2020099120.tif 000009
【図８】
2020099120.tif 000010